(57)【要約】      （修正有）【課題】一人で数多くのシャトルコックを連続して打ち込む等の練習をすることができるシャトルコック保持取出装置を提供する。【解決手段】シャトルコック保持取出装置１０のスタンド１２の上端部には回動装置が設けられている。この回動装置には透明なホルダー筒体２０が取り付けられている。ホルダー筒体２０には透明なシャトルコック収容筒体２２が着脱可能に挿入されている。このシャトルコック収容筒体２２はシャトルコック１を複数収容できるようになっている。スタンド１２の下端面には基台３０が固定されている。基台３０の一側面にはキャスター取付体３２を介してキャスター３４が取り付けられている。【選択図】図１
0003139862.tif 000002
【実用新案登録請求の範囲】
【請求項１】
スタンドと、このスタンドに取り付けられた回動装置と、この回動装置に取り付けられたホルダー筒体と、このホルダー筒体に着脱可能に挿入されると共にシャトルコックを複数収容することができる透明なシャトルコック収容筒体と、このシャトルコック収容筒体の一端部に形成されると共に前記シャトルコックの羽根部の外径寸法よりも内径寸法が大きく形成されたシャトルコック挿入開口部と、前記シャトルコック収容筒体の他端部に形成されると共に前記シャトルコックの羽根部の外径寸法よりも内径寸法が小さく形成されたシャトルコック取出開口部と、を有してなることを特徴とするシャトルコック保持取出装置。
【請求項２】
スタンドと、このスタンドに取り付けられた回動装置と、この回動装置に取り付けられたホルダー筒体と、このホルダー筒体に着脱可能に挿入されると共にシャトルコックを複数収容することができる透明なシャトルコック収容筒体と、このシャトルコック収容筒体の一端部に形成されると共に前記シャトルコックの羽根部の外径寸法よりも内径寸法が大きく形成されたシャトルコック挿入開口部と、前記シャトルコック収容筒体の他端部に形成されると共に前記シャトルコックの羽根部の外径寸法よりも内径寸法が小さく形成されたシャトルコック取出開口部と、前記スタンドの下端部に固定された基台と、この基台に取り付けられたキャスター取付体と、このキャスター取付体に取り付けられたキャスターと、を有してなることを特徴とするシャトルコック保持取出装置。
【請求項３】
伸縮調節可能なポール状のスタンドと、このスタンドに取り付けられた回動装置と、この回動装置に取り付けられた透明なホルダー筒体と、このホルダー筒体に着脱可能に挿入されると共にシャトルコックを複数収容することができる円筒状の透明なシャトルコック収容筒体と、このシャトルコック収容筒体の一端部に形成されると共に前記シャトルコックの羽根部の外径寸法よりも内径寸法が大きく形成されたシャトルコック挿入開口部と、前記シャトルコック収容筒体の他端部に形成されると共に前記シャトルコックの羽根部の外径寸法よりも内径寸法が小さく形成されたシャトルコック取出開口部と、前記スタンドの下端部に固定された基台と、この基台の一側面に取り付けられたキャスター取付体と、このキャスター取付体に取り付けられると共に回転可能に取り付けられたキャスターと、を有してなることを特徴とするシャトルコック保持取出装置。
【請求項４】
筒状のスタンドと、このスタンドの下端面に形成されると共にスタンド支持体を挿入することができるスタンド支持体挿入口と、前記スタンドの上端部に設けられると共にスタンドに対して傾斜して設けられたホルダー筒体と、このホルダー筒体に着脱可能に挿入されると共にシャトルコックを複数収容することができる透明なシャトルコック収容筒体と、このシャトルコック収容筒体の一端部に形成されると共に前記シャトルコックの羽根部の外径寸法よりも内径寸法が大きく形成されたシャトルコック挿入開口部と、前記シャトルコック収容筒体の他端部に形成されると共に前記シャトルコックの羽根部の外径寸法よりも内径寸法が小さく形成されたシャトルコック取出開口部と、を有してなることを特徴とするシャトルコック保持取出装置。
【考案の詳細な説明】
【技術分野】
【０００１】
本考案は、バドミントンで使用するシャトルコックを保持すると共にシャトルコックを１つづつ取り出すことができるシャトルコック保持取出装置に関する。
【背景技術】
【０００２】
バドミントンでサーブやスマッシュを練習する時はシャトルコックを多く使用するが、従来は練習者は練習補助者からシャトルコックを一つづつ手渡しされてラケットで打ってサーブやスマッシュ等の練習を行っていた。
しかし、練習補助者は多くのシャトルコックを持つことは困難であるため、連続して数多くのシャトルコックを打ち込むことが困難である。
また、練習補助者がいない時は練習者は自らシャトルコックを入れているシャトルコック収容ケース等からシャトルコックを一つづつ取ってラケットで打ってサーブやスマッシュ等の練習を行わなければならず煩わしい。
さらに、前記シャトルコック収容ケース等は外から内側が見えないのでシャトルコック収容ケースに残っているシャトルコックの残存数を認識し難いという不具合がある。
【考案の開示】
【考案が解決しようとする課題】
【０００３】
本考案は、上記事実に鑑みなされたものであり簡単に一人でも数多くのシャトルコックを連続して取り出してサーブやスマッシュ等の練習をすることができるシャトルコック保持取出装置を提供するものである。
【課題を解決するための手段】
【０００４】
請求項１の考案は、スタンドと、このスタンドに取り付けられた回動装置と、この回動装置に取り付けられたホルダー筒体と、このホルダー筒体に着脱可能に挿入されると共にシャトルコックを複数収容することができる透明なシャトルコック収容筒体と、このシャトルコック収容筒体の一端部に形成されると共に前記シャトルコックの羽根部の外径寸法よりも内径寸法が大きく形成されたシャトルコック挿入開口部と、前記シャトルコック収容筒体の他端部に形成されると共に前記シャトルコックの羽根部の外径寸法よりも内径寸法が小さく形成されたシャトルコック取出開口部と、を有してなることを特徴としている。
請求項２の考案は、スタンドと、このスタンドに取り付けられた回動装置と、この回動装置に取り付けられたホルダー筒体と、このホルダー筒体に着脱可能に挿入されると共にシャトルコックを複数収容することができる透明なシャトルコック収容筒体と、このシャトルコック収容筒体の一端部に形成されると共に前記シャトルコックの羽根部の外径寸法よりも内径寸法が大きく形成されたシャトルコック挿入開口部と、前記シャトルコック収容筒体の他端部に形成されると共に前記シャトルコックの羽根部の外径寸法よりも内径寸法が小さく形成されたシャトルコック取出開口部と、前記スタンドの下端部に固定された基台と、この基台に取り付けられたキャスター取付体と、このキャスター取付体に取り付けられたキャスターと、を有してなることを特徴としている。
請求項３の考案は、伸縮調節可能なポール状のスタンドと、このスタンドに取り付けられた回動装置と、この回動装置に取り付けられた透明なホルダー筒体と、このホルダー筒体に着脱可能に挿入されると共にシャトルコックを複数収容することができる円筒状の透明なシャトルコック収容筒体と、このシャトルコック収容筒体の一端部に形成されると共に前記シャトルコックの羽根部の外径寸法よりも内径寸法が大きく形成されたシャトルコック挿入開口部と、前記シャトルコック収容筒体の他端部に形成されると共に前記シャトルコックの羽根部の外径寸法よりも内径寸法が小さく形成されたシャトルコック取出開口部と、前記スタンドの下端部に固定された基台と、この基台の一側面に取り付けられたキャスター取付体と、このキャスター取付体に取り付けられると共に回転可能に取り付けられたキャスターと、を有してなることを特徴としている。
請求項４の考案は、筒状のスタンドと、このスタンドの下端面に形成されると共にスタンド支持体を挿入することができるスタンド支持体挿入口と、前記スタンドの上端部に設けられると共にスタンドに対して傾斜して設けられたホルダー筒体と、このホルダー筒体に着脱可能に挿入されると共にシャトルコックを複数収容することができる透明なシャトルコック収容筒体と、このシャトルコック収容筒体の一端部に形成されると共に前記シャトルコックの羽根部の外径寸法よりも内径寸法が大きく形成されたシャトルコック挿入開口部と、前記シャトルコック収容筒体の他端部に形成されると共に前記シャトルコックの羽根部の外径寸法よりも内径寸法が小さく形成されたシャトルコック取出開口部と、を有してなることを特徴としている。
【考案の効果】
【０００５】
本考案は、一人でも数多くのシャトルコックを簡単に連続して取り出すことができるという優れた効果を有する。
本考案は、上記優れた効果の他に一見するだけでシャトルコック挿入筒体に挿入されているシャトルコックの残存数を知ることができるという優れた効果を有する。
さらに、請求項４の考案は、上記優れた効果の他に構成が簡単であるので持ち運びが便利であると共に経済的に提供することができるという優れた効果を有する。
【考案を実施するための最良の形態】
【０００６】
考案を実施するために最良の形態の例として以下のような実施例を示す。
【実施例１】
【０００７】
図１〜図５には本考案に係るシャトルコック保持取出装置の第１実施例が示されている。
図１及び図２に示されるように、シャトルコック保持取出装置１０のポール状のスタンド１２は金属で形成されている。このスタンド１２は第１スタンド部１２Ａと第２スタンド部１２Ｂとから構成されている。この第１スタンド部１２Ａの上端部には前記第２スタンド部１２Ｂの下端部が挿入されている。従って、第２スタンド部１２Ｂは第１スタンド部１２Ａに対して出没可能になっており、前記スタンド１２の高さを調節できるようになっている。
第１スタンド部１２Ａの上部にはスタンド高さ調節固定具１３が設けられている。従って、スタンド高さ調節固定具１３を緩めたり締め付けたりして調節することによりスタンド１２の高さ調節を容易に行うことができるようになっている。
図３に示されるように、前記第２スタンド部１２Ｂの上端部には回動装置１４が設けられている。この回動装置１４は前記第２スタンド部１２Ｂの上端部に第２スタンド部１２Ｂと直交方向に向って固定された突起ピン１５と、この突起ピン１５に対して回動可能に外装された回動筒体１６と、この回動筒体１６の先端部に取り付けられた連結体１８と、から構成されている。
前記連結体１８の先端部にはホルダー筒体２０が取り付けられている。このホルダー筒体２０は透明なプラスチックで円筒状に形成されている。
従って、前記ホルダー筒体２０は回動装置１４を介して図１、図２矢印Ａ，Ｂ方向に回動可能になっている。
図１及び図２に示されるように、前記ホルダー筒体２０にはシャトルコック収容筒体２２が着脱可能に挿入されている。このシャトルコック収容筒体２２にはシャトルコック１を多数収容できるようになっている。前記シャトルコック収容筒体２２は透明なプラスチックで形成されている。
従って、シャトルコック収容筒体２２を見るとシャトルコック収容筒体２２の中に収容されているシャトルコック１を見ることができるので、一見してシャトルコック１の残存数を凡そ把握することができるようになっている。
図４に示されるように、前記シャトルコック収容筒体２２の内径寸法Ｘはシャトルコック１の羽根部２の外径寸法Ｙよりも少し大きく形成されている。
図１及び図２に示されるように、前記シャトルコック収容筒体２２の一端部にはシャトルコック挿入開口部２４が形成されている。このシャトルコック挿入開口部２４は上部２４Ａより下部２４Ｂの方が突出して開口面２４Ｃが傾斜している。シャトルコック挿入開口部２４の下部２４Ｂを突出させたことによりシャトルコック１をシャトルコック挿入開口部２４に挿入し易くなっている。また、前記シャトルコック収容筒体２２の他端部にはシャトルコック取出開口部２６が形成されている。
図４に示されるように、前記シャトルコック取出開口部２６は窄んで形成されシャトルコック取出開口部２６の内径寸法Ｚはシャトルコック１のヘッド部３の外径寸法Ｗよりも大きく形成され、前記シャトルコック１の羽根部２の外径寸法Ｙよりも少し小さく形成されている。
従って、前記シャトルコック収容筒体２２のシャトルコック挿入開口部２４からシャトルコック１を挿入することができると共にシャトルコック収容筒体２２に収容したシャトルコック１をシャトルコック取出開口部２６から取り出す場合はシャトルコック１を少し引っ張らないとシャトルコック１をシャトルコック取出開口部２６から取り出せないようになっている。なお、前記シャトルコック１をシャトルコック取出開口部２６から取り出す場合はシャトルコック１の羽根部２がシャトルコック取出開口部２６によって撓んで縮径するので、シャトルコック１をシャトルコック取出開口部２６から円滑に取り出すことができる。
図４に示されるように、前記シャトルコック収容筒体２２の外周面には突起部２８が突設されている。これにより、前記ホルダー筒体２０にシャトルコック収容筒体２２を挿入してホルダー筒体２０、シャトルコック収容筒体２２を傾斜させても（図１、図２の状態）、ホルダー筒体２０からシャトルコック収容筒体２２が抜け落ちるのを防止している。
図１及び図２に示されるように、前記スタンド体１２の第１スタンド部１２Ａの下端面には金属で円盤状に形成された基台３０が固定されている。従って、シャトルコック保持取出装置１０を置いた場合に前記基台３０が錘となってシャトルコック保持取出装置１０を安定して置くことができる。
前記基台３０の一側面にはキャスター取付体３２が取り付けられている。このキャスター取付体３２の一端部と他端部にはそれぞれキャスター３４が取り付けられている。なお、これらキャスター３４は矢印Ｃ方向に回転できるように取り付けられている。
なお、第２スタンド部１２Ｂにはスポンジ３６が巻かれており、冬場に第２スタンド部１２Ｂを握っても冷たくないようになっている。
【０００８】
第１実施例のシャトルコック保持取出装置１０の作用について説明する。
このシャトルコック保持取出装置１０を使用してバドミントンのサーブやスマッシュを練習する場合はキャスター３４を図１に示すような状態に位置させてキャスター３４が回らないようにしておいてシャトルコック保持取出装置１０を安定させた状態にして置く。
次に、ホルダー筒体２０を回動させてホルダー筒体２０を少し傾斜させると共に多数のシャトルコック１を収容したシャトルコック収容筒体２２を前記ホルダー筒体２０に挿入する（図１に示す状態）。
そして、練習者はシャトルコック保持取出装置１０の横に立って前記シャトルコック収容筒体２２のシャトルコック取出開口部２６から少し飛び出ているシャトルコック１のヘッド部３を摘んでシャトルコック１をシャトルコック取出開口部２６から引き出してシャトルコック１をラケットで打ってサーブやスマッシュの練習を行う。
シャトルコック１をシャトルコック収容筒体２２のシャトルコック取出開口部２６から引き出すとシャトルコック収容筒体２２は傾斜しているので、シャトルコック収容筒体２２に収容されているシャトルコック１はシャトルコック取出開口部２６に向って移動し、一番下に位置しているシャトルコック１のヘッド部３が自動的にシャトルコック収容筒体２２のシャトルコック取出開口部２６から少し飛び出る。
従って、練習者はシャトルコック取出開口部２６から少し飛び出ているシャトルコック１のヘッド部３を摘んでシャトルコック１をシャトルコック取出開口部２６から引き出してシャトルコック１をラケットで打ってサーブやスマッシュの練習を行うことができる。
これにより、練習者は練習補助者がいなくても一人で連続してし多数のシャトルコック１を取り出してラケットで打ってサーブやスマッシュの練習を行うことができる。しかも、練習者は横に位置しているシャトルコック保持取出装置１０のシャトルコック取出開口部２６から少し飛び出ているシャトルコック１のヘッド部３を摘んでシャトルコック１をラケットで打つことができるので煩雑でない。
また、前記ホルダー筒体２０とシャトルコック収容筒体２２は透明であるので一見しただけでシャトルコック収容筒体２２に収容されているシャトルコック１の凡その残存数を容易に把握することができるので、シャトルコック収容筒体２２に収容されているシャトルコック１の数に合わせてサーブやスマッシュ等の練習を計画的に行うことができる。
なお、前記シャトルコック保持取出装置１０を移動させる場合はキャスター３４を矢印Ｃ方向に回転させてキャスター３４を図２、５に示す状態にする。
そして、スタンド１２を持って図５に示すようにシャトルコック保持取出装置１０を少し傾けて基台３０が接地しないようにしてシャトルコック保持取出装置１０を引っ張るとキャスター３４が回るため、シャトルコック保持取出装置１０の重さに関係なく簡単にシャトルコック保持取出装置１０を移動させることができる。
また、前記シャトルコック保持取出装置１０を保管して置く場合は回動装置１４を介してホルダー筒体２０とシャトルコック収容筒体２２を回動させてホルダー筒体２０とシャトルコック収容筒体２２をスタンド１２と平行に立てるとシャトルコック保持取出装置１０が嵩張らないようになる。
【０００９】
図６及び図７には本考案に係るシャトルコック保持取出装置の第２実施例が示されている。なお、第１実施例のシャトルコック保持取出装置１０と同一の構成は同一の符号を用いてその説明を省略する。
図６及び図７に示されるように、第２実施例のシャトルコック保持取出装置４０のスタンド４２はプラスチックで円筒状に形成されている。このスタンド４２の下端面は開口されてスタンド支持体挿入口４４（図７参照）が形成されている。このスタンド支持体挿入口４４にはスタンド支持体としての工事現場等で使用される公知の三角錐状のカラーコーン５の上部５Ａを挿入できるようになっている。
従って、このカラーコーン５の上部５Ａをスタンド支持体挿入口４４に挿入することにより、図６に示されるように前記スタンド４２を立てた状態で一定高さに支持することができる。
前記スタンド４２の上端面には天板部４６が形成されている。この天板部４６の中央部にはホルダー筒体支持体４８が立設されている。このホルダー筒体支持体４８の上端部にはホルダー筒体５０が固定されている。このホルダー筒体５０は透明なプラスチックでリング状に形成されている。なお、このホルダー筒体５０は第１実施例のシャトルコック保持取出装置１０のホルダー筒体２０の幅寸法に比べて幅が狭く形成されている。
前記ホルダー筒体５０は前記スタンド４２に対して傾斜して固定されている。従って、シャトルコック収容筒体２２を前記ホルダー筒体５０に挿入するとシャトルコック収容筒体２２は傾斜して保持されることになる（図６参照）。
第２実施例のシャトルコック保持取出装置４０はカラーコーン５を利用して設置するため第１実施例のシャトルコック保持取出装置１０のような基台３０は不要であるので第１実施例のシャトルコック保持取出装置１０に比べて構造が簡単であると共に軽量であるので持ち運びに便利である。
また、前記シャトルコック保持取出装置４０は構造が簡単であるので第１実施例のシャトルコック保持取出装置１０に比べて経済的に提供することができる。
なお、他の構成、作用、効果は第１実施例のシャトルコック保持取出装置１０と同一であるので、その説明は省略する。
【００１０】
なお、実施例ではこのホルダー筒体２０、５０とシャトルコック収容筒体２２をプラスチックで形成したが、ホルダー筒体２０、５０とシャトルコック収容筒体２２の材料はプラスチックに限定されるものでないことは勿論である。
また、実施例ではシャトルコック収容筒体２２の外周面に突起部２８が突設してホルダー筒体２０、５０からシャトルコック収容筒体２２が抜け落ちないようにしたが、これに限定されるものでなく例えばホルダー筒体２０、５０の内径寸法を徐々に小径にすることによりホルダー筒体２０、５０からシャトルコック収容筒体２２が抜け落ちないようにしたり、あるいはホルダー筒体２０、５０の内周面とシャトルコック収容筒体２２の外周面が密着するように形成することによりホルダー筒体２０、５０からシャトルコック収容筒体２２が抜け落ちないようにしてもよいことは勿論である。
なお、実施例では前記シャトルコック保持取出装置１０、４０をサーブやスマッシュ等の練習を行う場合に使用する例を示したが、バドミントンの試合をする場合にシャトルコック保持取出装置１０、４０をコートの外に置いて試合で使用するシャトルコック１を取るようにしてもよいことは勿論である。
また、第１実施例では前記回動装置１４を突起ピン１５と回動筒体１６と連結体１８とから構成したが、回動装置１４は前記ホルダー筒体２０を回動することができるものであれば実施例の構成に限定されるものでないことは勿論である。
なお、第２実施例ではスタンド４２を支持するスタンド支持体として工事現場等で使用される公知の三角錐状のカラーコーン５を示したが、スタンド支持体は前記カラーコーン５に限定されるものでないことは勿論である。
【図面の簡単な説明】
【００１１】
【図１】第１実施例のシャトルコック保持取出装置の全体斜視図である。
【図２】第１実施例のシャトルコック保持取出装置の全体斜視図である。
【図３】第１実施例のシャトルコック保持取出装置の一部拡大斜視図である。
【図４】第１実施例のシャトルコック保持取出装置の一部拡大縦断面図である。
【図５】第１実施例のシャトルコック保持取出装置を移動させる状態の状態図である。
【図６】第２実施例のシャトルコック保持取出装置の全体斜視図である。
【図７】第２実施例のシャトルコック保持取出装置の一部斜視図である。
【符号の説明】
【００１２】
１０    シャトルコック保持取出装置
１２    スタンド
１２Ａ  第１スタンド部
１２Ｂ  第２スタンド部
１３    スタンド高さ調節固定具
１４    回動装置
１５    突起ピン
１６    回動筒体
１８    連結体
２０    ホルダー筒体
２２    シャトルコック収容筒体
２４    シャトルコック挿入開口部
２６    シャトルコック取出開口部
２８    突起部
３０    基台
３２    キャスター取付体
３４    キャスター
【図１】
0003139862.tif 000003
【図２】
0003139862.tif 000004
【図３】
0003139862.tif 000005
【図４】
0003139862.tif 000006
【図５】
0003139862.tif 000007
【図６】
0003139862.tif 000008
【図７】
0003139862.tif 000009